(57)【要約】【課題】  スピーカユニットをキャビネットの所定位置に迅速に、且つ確実に固定することができ、生産性の向上、歩留まりの向上を実現することができ、また、ビビリ音等の異音の発生を防止して、高品位な音響再生を実現することができるスピーカ装置を提供すること。【解決手段】  キャビネット５に収容されたスピーカユニット３は、キャビネット５に接触する部位を両面粘着テープ４３，４４を介してキャビネット５に貼着することで、キャビネット５へ固定して、両面粘着テープ４３，４４が発揮する制振性能により、ビビリ音等の異音の発生を防止する。【選択図】        図１
2006262195.tif 000002
【特許請求の範囲】
【請求項１】
振動板の背面から放射される音が振動板の前面側に回らないようにスピーカユニットをキャビネットに収容したスピーカ装置であって、
前記スピーカユニットは、前記キャビネットに接触する部位を両面粘着テープを介してキャビネットに貼着することで、キャビネットへの固定がなされていることを特徴とするスピーカ装置。
【請求項２】
前記キャビネットは、前記スピーカユニットの後端面が接触する後壁と、前記スピーカユニット前面のダンパーエッジの外周縁を支持したスピーカフレームの前端面が接触する前壁と、これらの後壁と前壁との間を連絡する側壁とを備えて、前後方向の内法寸法が前記スピーカユニットの前後方向寸法と略同一に設定された箱状に形成され、
スピーカユニットは、前記キャビネットの前壁及び後壁との接触箇所に介在する両面粘着テープによる貼着力と、前記キャビネットの前壁及び後壁による挾持力とで、前記キャビネットに固定されていることを特徴とする請求項１に記載のスピーカ装置。
【請求項３】
前記スピーカユニットは、振動板として外周形状が円形又は長円形又は角形のマイクロスピーカユニットであることを特徴とする請求項１又は２に記載のスピーカ装置。
【発明の詳細な説明】
【技術分野】
【０００１】
本発明は、スピーカユニットをキャビネットに収容したスピーカ装置に関する。
【背景技術】
【０００２】
スピーカ装置は、通常、スピーカユニットの振動板の背面から放射される音が振動板の前面側に回って振動板の前面から放射される音と干渉しないように、スピーカユニットをキャビネットに収容した形態に形成される。
キャビネットは、スピーカユニットの振動板の背面から放射される音が振動板の前面側に漏れないように、スピーカユニットの背面側を覆う箱である。
このようなキャビネットは、通常、その前面側に、スピーカユニットの振動板前面を露出させる開口を有したバッフル板を有している。スピーカユニットのキャビネットへの固定は、スピーカユニットのフレームの略リング状の外周縁に形成した取付穴を利用して、前記バッフル板にねじ止めをする場合が多い。
【０００３】
ところで、最近は、携帯電話や、モバイルコンピュータ等、スピーカ装置を組み込む小型機器が急速に増えている。このような小型機器に搭載するスピーカ装置は、機器側のスペースを圧迫しないように、キャビネットをスピーカユニットと略同じ大きさ程度までコンパクト化することが求められている。
しかし、このような小型機器に搭載されるスピーカ装置のキャビネットは、通常、合成樹脂の成形品で、コンパクト化により、隔壁の薄肉化等が行われると、ねじ止めによるスピーカユニットの固定が、強度上困難になるという問題があった。
【０００４】
そこで、キャビネットへスピーカユニットを固定する方法として、接着剤を使う方法や、スピーカユニットの外周等に突設した係止突起をキャビネット側の係止溝に係合させる方法（例えば、特許文献１参照）が提案されている。
【０００５】
【特許文献１】特開２００２−１５２８７２号公報
【発明の開示】
【発明が解決しようとする課題】
【０００６】
ところが、接着剤を利用する固定方法の場合は、例えば、キャビネットが密閉型の場合、接着剤に含まれている揮発性溶剤がキャビネットの外部に放出できないために接着剤の硬化が遅延して、生産性の低下を招いたり、硬化途中でスピーカユニットの位置がずれたりして、製造不良を招く虞があった。
また、接着剤に含まれている揮発性溶剤がキャビネットを形成している樹脂に変質を招く虞もあった。
【０００７】
一方、スピーカユニットの外周等に突設した係止突起をキャビネット側の係止溝に係合させる方法の場合は、製造誤差や、係止突起の変形等で、スピーカユニットの固定強度が部分的に低い部分が発生し、スピーカユニットの動作時の振動で、共振等による異音が発生する虞があった。
特に、キャビネットの前後方向の内法寸法がスピーカユニットの前後方向寸法と略同一程度まで、キャビネットが小型化されている場合には、スピーカユニットの動作時の振動で、スピーカユニットがキャビネットの壁面に干渉したり、或いはスピーカユニットとキャビネットとの間に共振が起こったりして、ビビリ音等の異音が発生したり、再生音に歪みが生じる虞があった。
【０００８】
本発明が解決しようとする課題としては、速やかにスピーカユニットをキャビネットの所定位置に確実に固定することができ、生産性の向上、歩留まりの向上を実現することができ、また、キャビネットの前後方向の内法寸法がスピーカユニットの前後方向寸法と略同一程度まで小型化されていても、ビビリ音等の異音が発生や再生音の歪みを防止して、高品位な音響再生を実現することができるスピーカ装置を提供することが一例として挙げられる。
【課題を解決するための手段】
【０００９】
上記課題を解決するために、請求項１に記載のスピーカ装置は、振動板の背面から放射される音が振動板の前面側に回らないようにスピーカユニットをキャビネットに収容したスピーカ装置であって、前記スピーカユニットは、前記キャビネットに接触する部位を両面粘着テープを介してキャビネットに貼着することで、キャビネットへの固定がなされていることを特徴とする。
【発明を実施するための最良の形態】
【００１０】
以下、本発明に係るスピーカ装置の好適な実施の形態について、図面を参照して詳細に説明する。
図１は本発明に係るスピーカ装置の一実施の形態の分解斜視図、図２は図１に示したスピーカ装置の組立状態における一部縦断面図である。
【００１１】
この一実施の形態のスピーカ装置１は、スピーカユニット３と、該スピーカユニット３を収容するキャビネット５とから構成されている。
スピーカユニット３は、図２に示すように、外周形状が円形のドーム形振動板１１と、この振動板１１の外周に接合されたエッジ１３と、振動板１１とエッジ１３との間に形成された溝部に装着されたボイスコイル１５と、前記エッジ１３の外周縁が固定されるリング状のエッジ取付け部１７を有したスピーカフレーム１８と、前記振動板１１の背面側に位置するように前記スピーカフレーム１８の後部に固着された磁気回路１９と、前記スピーカフレーム１８に装備されて前記ボイスコイル１５に電気接続された信号入力端子２０とを備えたドーム型スピーカユニットで、信号入力端子２０にはアンプ等に接続されるリード線が電気接続される。
【００１２】
エッジ取付け部１７は、振動板１１と中心軸が一致する略円筒状の垂直壁部１７ａと、該垂直壁部１７ａの基端に連なる水平壁部１７ｂとを備えた構造になっている。エッジ１３の外周縁は、垂直壁部１７ａと水平壁部１７ｂとの双方に密着して、固定されている。垂直壁部１７ａの先端は、スピーカフレーム１８の前端面１８ａとなっている。
【００１３】
磁気回路１９は、図２に示すように、振動板１１に中心軸線を一致させてスピーカフレーム１８に支持される円筒部２３ａとその後端を塞ぐ円板部２３ｂとを有した有底円筒状のヨーク２３と、円板部２３ｂの上に固定されたマグネット２５と、このマグネット２５の前面に固定されたポールプレート２７とから構成されていて、ポールプレート２７の外周と円筒部２３ａの内周との間の間隙が、ボイスコイル１５が前後に移動自在に嵌入する磁気隙間２９と成っている。
本実施の形態の場合、磁気回路１９の構成部品であるヨーク２３の円板部２３ｂの後端面は、図１及び図２に示すように、スピーカフレーム１８の後端面よりも後方に突出していて、スピーカユニット３の後端面３ａとなっている。
【００１４】
キャビネット５は、振動板１１の背面から放射される音が振動板１１の前面側に回らないようにスピーカユニット３を収容する密閉型キャビネットで、ケース本体３１と、このケース本体３１の後面開放部を覆う蓋体３２とから構成されている。これらのケース本体３１及び蓋体３２は、いずれも、合成樹脂の射出成形品である。
【００１５】
ケース本体３１は、スピーカユニット３の振動板１１を露出させる略円形の開口を有したバッフル板としての前壁３５と、この前壁３５の外周から後方に向かって延出する側壁３６とを一体形成した構造で、スピーカユニット３を収容する直方体状の収容空間を形成している。
側壁３６上で、スピーカユニット３の信号入力端子２０の装備位置に対応する部位には、該信号入力端子２０に接続されるリード線の取出口となる切り欠き３８が形成されている。
【００１６】
蓋体３２は、ケース本体３１の後面の略正方形の開放部を覆うことで、収容したスピーカユニット３の背部を覆うキャビネット後壁として機能する。
ある。
蓋体３２には、ケース本体３１の四隅に装備した溶着用支柱３９の位置に対応して、前記溶着用支柱３９の先端の細径部３９ａが挿通可能な取付穴４０が貫通形成されていて、取付穴４０を挿通した細径部３９ａに対して超音波溶着又は熱溶着させることで、ケース本体３１に固定される。
【００１７】
本実施の形態のキャビネット５の場合、蓋体３２と前壁３５とで形成される前後方向（図２のＡの方向）の内法寸法は、スピーカユニット３の前後方向の内法寸法に略等しく設定されている。
従って、蓋体３２はキャビネット後壁としてスピーカユニット３の後端面３ａであるヨーク２３の円板部２３ｂに接触し、ケース本体３１の前壁３５はスピーカユニット３の前端面であるスピーカフレーム１８の前端面１８ａに接触する。
そして、スピーカユニット３は、キャビネット５の前壁３５及び後壁である蓋体３２との接触箇所に介在する両面粘着テープ４３，４４によりキャビネット５に貼着されている。この取り付け構造により、これらの両面粘着テープ４３，４４による貼着力と、キャビネット５の前壁３５及び後壁としての蓋体３２によって作用する挾持力とで、スピーカユニット３がキャビネット５に固定されている。
【００１８】
また、切り欠き３８のリード線との間の隙間は、スピーカユニット３とキャビネット５との固定が完了後に、接着剤の塗布等により、隙間を埋めることで、キャビネット５の密閉性を向上させる。
【００１９】
以上に説明したスピーカ装置１では、スピーカユニット３を両面粘着テープ４３，４４による粘着によりキャビネット５に固定するもので、ねじ止めによる固定構造の場合と比較すると、キャビネット５の隔壁が薄肉の場合でも、固定部位の肉厚を増大させたり固定部位にねじ止め用の金具をインサート成形するような特別な補強対策が必要とならず、コストをかけずに、しっかりとした固定が可能になる。
【００２０】
また、接着剤によって固定する場合と比較すると、溶剤の揮発がない。従って、キャビネット５が密閉構造の場合でも、揮発した溶剤が排出できないために硬化時間（接着時間）が長引くことがなく、両面粘着テープ４３，４４の粘着面に押圧することで速やかな接着・固定が可能である。そのため、所定の接着強度が発揮されるまでに時間がかかって位置ずれによる製造不良を起こす虞がなく、速やかにスピーカユニット３をキャビネット５の所定位置に確実に固定することができ、生産性の向上、歩留まりの向上を実現することができる。
【００２１】
また、上記実施の形態のようにキャビネット５の前後方向の内法寸法がスピーカユニット３の前後方向寸法と略同一程度まで小型化されていても、キャビネット５の壁面とスピーカユニット３との間に介在する両面粘着テープ４３，４４が制振性を発揮するため、ビビリ音等の異音の発生や共振による再生音の歪みを防止して、高品位な音響再生を実現することができる。
【００２２】
また、上記実施の形態のスピーカ装置１では、両面粘着テープ４３，４４による接着力だけでなく、キャビネット５の前後の対向壁による挾持力によって、スピーカユニット３がキャビネット５に固定されるため、より強固な固定が可能になる。
【００２３】
また、キャビネット５の前後壁がスピーカユニット３の前後面に密着するため、キャビネット５の前後方向の寸法は、スピーカユニット３の前後方向の寸法と略同等までコンパクト化され、例えば、携帯電話やモバイルコンピュータ等の小型機器への搭載が容易になると共に、これらの小型機器での音響再生の高品位化に貢献する。
【００２４】
また、上記実施の形態のスピーカ装置１では、ドーム形振動板を採用したスピーカユニット３を使用しており、コーン形振動板を採用したコーン型スピーカユニットを使用した場合と比較して、音を広角に放射できるため、携帯電話等の小型機器に搭載した場合に、ユーザと機器との位置関係が多少ずれても、再生音が聞き取りにくくなることがない。
【００２５】
なお、上記実施の形態では、スピーカユニットの振動板は、外周形状が円形のドーム形振動板であったが、外周形状が楕円形を含む長円形、あるいは角形としてもよい。
そして、スピーカユニットは、振動板として外周形状が円形又は長円形又は角形のマイクロスピーカユニットであってもよい。長円形のドーム形振動板を採用すれば、省スペースで振動板面積を稼ぐことができて、低域の再生特性を改善することができ、小型でもバランスの良い音響特性を発揮させることができる。
【００２６】
また、スピーカユニットを両面粘着テープによってキャビネットに貼着・固定する位置は、上記実施の形態で示したスピーカユニットの前端面及び後端面に限らない。例えば、スピーカユニットの外周の一部等が半径方向に突出していて、その突出部がキャビネットの内面に接触する場合には、その突出部とキャビネットとの間にも、両面粘着テープを介在させて、突出部からキャビネットへの振動伝達を遮断すると良い。
【００２７】
また、本発明に係るスピーカ装置の用途は、上記実施の形態で示した携帯機器用に限らない。家屋内や車両に設置される省スペースの小型スピーカシステムとしても、有用である。
【００２８】
以上、詳述したように、本実施の形態に係るスピーカ装置１は、振動板１１の背面から放射される音が振動板１１の前面側に回らないようにスピーカユニットをキャビネット５に収容したスピーカ装置であって、スピーカユニット３は、キャビネット５に接触する部位を両面粘着テープ４３，４４を介してキャビネット５に貼着することで、キャビネット５への固定がなされている。
このように、スピーカユニット３を両面粘着テープ４３，４４による粘着によりキャビネット５に固定するので、ねじ止めによる固定構造の場合と比較すると、キャビネット５の隔壁が薄肉の場合でも、固定部位の肉厚を増大させたり固定部位にねじ止め用の金具をインサート成形するような特別な補強対策が必要とならず、コストをかけずに、しっかりとした固定が可能になる。
また、接着剤によって固定する場合と比較すると、溶剤の揮発がない。従って、キャビネット５が密閉構造の場合でも、揮発した溶剤が排出できないために硬化時間（接着時間）が長引くことがなく、両面粘着テープ４３，４４の粘着面に押圧することで速やかな接着・固定が可能である。そのため、所定の接着強度が発揮されるまでに時間がかかって位置ずれによる製造不良を起こす虞がなく、速やかにスピーカユニット３をキャビネット５の所定位置に確実に固定することができ、生産性の向上、歩留まりの向上を実現することができる。
また、キャビネット５の前後方向の内法寸法がスピーカユニット３の前後方向寸法と略同一程度まで小型化されていても、キャビネット５の壁面とスピーカユニット３との間に介在する両面粘着テープ４３，４４が制振性を発揮するため、ビビリ音等の異音の発生や共振による再生音の歪みを防止して、高品位な音響再生を実現することができる。
【図面の簡単な説明】
【００２９】
【図１】本発明に係るスピーカ装置の一実施の形態の分解斜視図である。
【図２】図１に示したスピーカ装置の組立状態における一部縦断面図である。
【符号の説明】
【００３０】
１  スピーカ装置
３  スピーカユニット
３ａ  後端面
５  キャビネット
１８  スピーカフレーム
１８ａ  前端面
１９  磁気回路
２３  ヨーク
２３ｂ  円板部
３１  ケース本体
３２  蓋体
３５  前壁
３６  側壁
３８  切り欠き
４３，４４  両面粘着テープ
【図１】
2006262195.tif 000003
【図２】
2006262195.tif 000004